(57)【要約】【課題】室内機から排出されるドレン水を更に効率よく利用して室外機の熱交換性能を更に向上させる。【解決手段】空気調和機用室外機において、熱交換器５と、ドレン水を当該熱交換器に向けて導水する導水路９とを備え、当該導水路９は、ドレン水の流入を受け入れるドレン水受入部９１と、当該ドレン水受入部９１から下方に傾斜して熱交換器５の幅方向に延び、ドレン水受入部９１から流出するドレン水を熱交換器５に案内するドレン水案内路９２とを有する。【選択図】図１
2009127919.tif 000002
【特許請求の範囲】
【請求項１】
熱交換器と、ドレン水を当該熱交換器に向けて導水する導水路とを備え、当該導水路は、前記ドレン水の流入を受け入れるドレン水受入部と、当該ドレン水受入部から下方に傾斜して前記熱交換器の幅方向に延びて、前記ドレン水受入部から流出するドレン水を前記熱交換器に案内するドレン水案内路とを有する空気調和機用室外機。
【請求項２】
前記ドレン水受入部及びドレン水案内路は、前記熱交換器に対向して設けられた吸込グリルに設けられ、前記ドレン水受入部は、当該吸込グリルに取り付けられた室内機ドレンホースから排出されるドレン水の流入を受け入れる請求項１に記載の空気調和機用室外機。
【請求項３】
前記ドレン水案内路は、前記熱交換器の幅全体に延び、前記ドレン水受入部から当該ドレン水案内路の長さ方向端部に到るまでの間に亘って前記熱交換器に対してドレン水を配水する請求項２に記載の空気調和機用室外機。
【請求項４】
前記吸込グリルの全幅は、前記熱交換器の全幅に対応させて設けられ、
前記ドレン水受入部は、前記吸込グリルの幅方向一端部に設けられ、前記ドレン水案内路は、当該ドレン水受入部から下方に傾斜して前記吸込グリルの幅方向他端部まで延びる請求項３に記載の空気調和機用室外機。
【請求項５】
前記吸込グリルの全幅は、前記熱交換器の全幅に対応させて設けられ、
前記ドレン水受入部は、前記吸込グリルの幅方向中央部に設けられ、前記ドレン水案内路は、当該ドレン水受入部から下方に傾斜して前記熱交換器の幅方向両端部まで延びる請求項３に記載の空気調和機用室外機。
【請求項６】
前記ドレン水受入部は、前記吸込グリルの上下方向において異なる複数箇所に設けられ、前記ドレン水案内路は、当該複数のドレン水受入部の各々から下方に傾斜して延びる請求項４又は請求項５に記載の空気調和機用室外機。
【発明の詳細な説明】
【技術分野】
【０００１】
本発明は、空気調和機用室外機に関し、特に、熱交換器を冷却する技術に関する。
【背景技術】
【０００２】
従来、空気調和機用の室外機の熱交換性能を向上させるために、当該室外機を冷却する技術が提案されている。例えば、下記特許文献１に示されるように、室外機のケーシングをなすパネルや通風グリルの外表面に光触媒をコーティングし、室内機からのドレン水を排出するドレン管を散水手段として、当該光触媒のコーティング部分にドレン水を散布する空気調和機が知られている。
【特許文献１】特開２００５−１１４２００号公報
【発明の開示】
【発明が解決しようとする課題】
【０００３】
上記特許文献１に示される従来技術は、上述した光触媒がコーティングされたケーシングへのドレン水の散水により、当該ケーシング及び室外機周囲温度の上昇を抑制することで熱効率をある程度向上させているが、上記室内機から排出されるドレン水は少量であるため、当該ドレン水を更に効率よく利用して、室外機の熱交換性能を更に向上させることが望まれている。
【０００４】
本発明は、上記の問題を解決するためになされたもので、室内機から排出されるドレン水を更に効率よく利用して室外機の熱交換性能を更に向上させることを目的とする。
【課題を解決するための手段】
【０００５】
本発明の請求項１に記載の発明は、熱交換器と、ドレン水を当該熱交換器に向けて導水する導水路とを備え、当該導水路は、前記ドレン水の流入を受け入れるドレン水受入部と、当該ドレン水受入部から下方に傾斜して前記熱交換器の幅方向に延びて、前記ドレン水受入部から流出するドレン水を前記熱交換器に案内するドレン水案内路とを有する空気調和機用室外機である。
【０００６】
この構成によれば、ドレン水受入部から流出するドレン水は、ドレン水案内路が有する下方への傾斜により、重力の影響で当該傾斜に沿って流れていくことになる。そして、このドレン水案内路は、熱交換器の幅方向に向かって延びるため、ドレン水受入部から流出するドレン水は、熱交換器の一部分のみにとどまらず、熱交換器を幅方向に横断して流れることになる。これにより、本発明は、ドレン水の流量が少なく、ドレン水の自然な流れに任せるだけでは熱交換器の幅方向に亘ってドレン水を案内することが困難な場合であっても、当該少量のドレン水を熱交換器の幅方向に向けて的確に案内可能である。従って、本発明によれば、ドレン水を従来よりも効率よく利用して熱交換器を冷却することで、室外機の熱交換性能を更に向上させることができる。
【０００７】
また、請求項２に記載の発明は、請求項１に記載の空気調和機用室外機であって、前記ドレン水受入部及びドレン水案内路は、前記熱交換器に対向して設けられた吸込グリルに設けられ、前記ドレン水受入部は、当該吸込グリルに取り付けられた室内機ドレンホースから排出されるドレン水の流入を受け入れるものである。
【０００８】
この発明では、従来から室外機の一部品として用いられている吸込グリルに室内機ドレンホースが取り付けられ、当該吸込グリルにドレン水受入部及びドレン水案内路が設けられるので、室内機から排出されるドレン水を熱交換器の冷却用に有効利用でき、ドレン水受入部及びドレン水案内路の取り付けのために新たな別個の部材が必要とされることもない。また、吸込グリルは熱交換器に対向する位置に設けられているため、熱交換器に向けてのドレン水の配水を的確に行うことができる。
【０００９】
また、請求項３に記載の発明は、請求項２に記載の空気調和機用室外機であって、前記ドレン水案内路は、前記熱交換器の幅全体に延び、前記ドレン水受入部から当該ドレン水案内路の長さ方向端部に到るまでの間に亘って前記熱交換器に対してドレン水を配水するものである。
【００１０】
また、請求項４に記載の発明は、請求項３に記載の空気調和機用室外機であって、前記吸込グリルの全幅は、前記熱交換器の全幅に対応させて設けられ、
前記ドレン水受入部は、前記吸込グリルの幅方向一端部に設けられ、前記ドレン水案内路は、当該ドレン水受入部から下方に傾斜して前記吸込グリルの幅方向他端部まで延びる
ものである。
【００１１】
これらの発明では、ドレン水受入部から流出するドレン水が、ドレン水案内路が有する下方への傾斜により熱交換器の幅全体に流れていき、しかも、ドレン水は、当該ドレン水受入部から当該ドレン水案内路の長さ方向端部に到るまで熱交換器の随所に配水されるので、ドレン水受入部から流出するドレン水を熱交換器の全幅に亘らせて円滑に導き、熱交換器の随所をドレン水により的確に冷却することができる。
【００１２】
また、請求項５に記載の発明は、請求項３に記載の空気調和機用室外機であって、前記吸込グリルの全幅は、前記熱交換器の全幅に対応させて設けられ、
前記ドレン水受入部は、前記吸込グリルの幅方向中央部に設けられ、前記ドレン水案内路は、当該ドレン水受入部から下方に傾斜して前記熱交換器の幅方向両端部まで延びるものである。
【００１３】
この発明によれば、ドレン水受入部が吸込グリルの幅方向中央部に設けられ、ドレン水受入部から流出するドレン水が当該中央部から分かれて熱交換器の各端部に向かって同時に流出することと、ドレン水が導入される当該中央部から熱交換器の幅方向両端部までの距離を短く構成できることとから、ドレン水を外部から導入した後、当該ドレン水を熱交換器の幅方向両端部まで迅速に短時間で行き渡らせることができる。
【００１４】
また、請求項６に記載の発明は、請求項４又は請求項５に記載の空気調和機用室外機であって、前記ドレン水受入部は、前記吸込グリルの上下方向において異なる複数箇所に設けられ、前記ドレン水案内路は、当該複数のドレン水受入部の各々から下方に傾斜して延びるものである。
【００１５】
この発明によれば、ドレン水受入部が吸込グリルの上下方向において異なる複数箇所に設けられているので、例えば、複数の室内機ドレンホースから排出されるドレン水を各ドレン水受入部で受け入れ、吸込グリルの上下方向において異なる位置に設けられている各ドレン水受入部から、熱交換器に対して、熱交換器の上下方向において異なる位置となる随所に、ドレン水を配水することができる。このため、本発明によれば、複数の室内機ドレンホースから得た多量のドレン水を、熱交換器の上下方向及び幅方向において異なる位置となる随所に配水できるので、更に効率よく熱交換器を冷却し、室外機の熱交換性能をより一層向上させることができる。
【発明の効果】
【００１６】
本願発明によれば、ドレン水を従来よりも効率よく利用して熱交換器を冷却することで、室外機の熱交換性能を更に向上させることができる。
【発明を実施するための最良の形態】
【００１７】
以下、本発明の一実施形態に係る空気調和機用室外機について図面を参照して説明する。図１は本発明の一実施形態に係る空気調和機用室外機の斜視図である。図２は吸込グリルにおけるドレンホース取付部分の拡大図である。図３（ａ）は吸込グリルに設けられている導水路の第１実施形態を空気調和機用室外機の外側から見た状態を示す斜視図、（ｂ）は当該導水路を空気調和機用室外機の内側から見た状態を示す斜視図である。
【００１８】
本発明の一実施形態に係る空気調和機用室外機１（以下、室外機１という）は、箱状のケーシング２と、箱状のケーシング２の側面部に設けられた吸込グリル３と、吸込グリル３に対向して配設された熱交換器５とを備えている。
【００１９】
図１では特に図示していないが、図１の手前側から見て熱交換器５の更に奥側には、熱交換器５側に吸込口を備える送風機（ファン）が設けられている。更に、吸込グリル３が設けられている側面部と反対側の側面部には、上記送風機によって送り出される空気を排出する吹出グリルが設けられている。また、図１におけるケーシング２内の左端部２ａには、図略の圧縮機及びアキュームレータ等を有する機械室が設けられている。
【００２０】
室外機１の駆動時には、上記圧縮機により冷媒が圧縮され、熱交換器５に送られる。当該冷媒は、熱交換器５内の冷却管により冷却され、図略の冷媒配管を通じて室内機に送出される。この熱交換器５による冷媒冷却時には、上記送風機（ファン）が駆動されて、吸込グリル３から外気が室外機１内に吸い込まれ、吸い込まれた空気は熱交換器５を通って上記吹出グリルから室外機１の外に排出される。
【００２１】
上記吸込グリル３には、図１に示すように、室内機から流出するドレン水を排出するためのドレンホース７が取り付けられる。当該ドレンホース７は、図２に示すように、吸込グリル３の幅方向における中央部に設けられている軸部３１に対して、シート８（繊維又は金属等からなる）等による縛り付けで固定されている。
【００２２】
さらに、図３（ａ）（ｂ）に示すように、吸込グリル３には、ドレンホース７から排出されるドレン水を熱交換器５に向けて導水する導水路９（第１実施形態）が設けられている。導水路９は、ドレン水受入部９１とドレン水案内路９２とを備える。ドレン水受入部９１は、熱交換器５に向かって突出する形状とされて吸込グリル３の軸部３１に設けられ、平板上の上面９１ａを有する。図１に示すように、ドレンホース７は、その後端部（ドレン水排出口）がドレン水受入部９１の上面９１ａの上方に位置するように、吸込グリル３の軸部３１に取り付けられる。ドレン水受入部９１の上面９１ａは、ドレンホース７から落下して排出されるドレン水の流入を受け入れる。
【００２３】
ドレン水案内路９２は、熱交換器５の幅方向に延びる例えば円筒状の部材からなり、ドレン水受入部９１から下方に傾斜して吸込グリル３の幅方向両端部まで延びている。当該吸込グリル３の幅方向両端部と、熱交換器５の幅方向両端部は、両者の位置がほぼ一致する設定とされている。ドレン水案内路９２は、ドレン水受入部９１の一方の側部から、吸込グリル３の幅方向一端部に設けられている軸部３１ａまで延びる案内部材９２ａと、ドレン水受入部９１の他方の側部から、吸込グリル３の幅方向他端部に設けられている軸部３１ｂまで延びる案内部材９２ｂと備えている。案内部材９２ａ，９２ｂは、その最上位となる表面が、ドレン水受入部９１の上面９１ａと同じ高さとされて、上面９１ａから溢れるドレン水を導きやすくされることが好適である。なお、ドレン水案内路９２の案内部材９２ａ，９２ｂの形状は、上記の形状に限定されるものではなく、他の形状を採用することも可能である。
【００２４】
この構成により、ドレンホース７から排出されたドレン水は、ドレン水受入部９１の上面９１ａに落下し、上面９１ａから溢れたドレン水は、ドレン水案内路９２が有する下方への傾斜により、重力の影響で、円筒状の案内部材９２ａ，９２ｂの表面を伝って、吸込グリル３の軸部３１ａ及び３１ｂまで案内される。
【００２５】
室内機からは、室外機１の駆動時にドレン水が排出されるが、上述したように室外機１の駆動時には送風機が駆動されるため、ドレン水がドレン水受入部９１から溢れてドレン水案内路９２を通って吸込グリル３の軸部３１ａ及び３１ｂに向かう時には、吸込グリル３から吹出グリルに向かう空気の流れが形成される。このため、案内部材９２ａ，９２ｂの表面をつたうドレン水は、軸部３１ａ及び３１ｂに到達するまでの間に、上記空気の流れによって、適量が逐次熱交換器５に向かって飛散する。
【００２６】
以上の構成によれば、少量のドレン水であっても、ドレン水受入部９１から下方に傾斜して熱交換器５の幅方向両端部まで延びるドレン水案内路９２により、当該ドレン水が熱交換器５の幅方向全域に亘って案内され、上記空気流によるドレン水の飛散により、熱交換器５に対してその幅方向全域に亘る随所を冷却することができる。
【００２７】
導水路の第２実施形態を説明する。図４は第２実施形態に係る導水路９０を示す斜視図である。
【００２８】
上記第１実施形態に係る導水路９は、ドレン水受入部９１が吸込グリル３の幅方向中央部の軸部３１に設けられており、ドレン水案内路９２が当該吸込グリル３の幅方向中央部に位置するドレン水受入部９１から下方に傾斜して吸込グリル３の幅方向両端部（熱交換器５の幅方向両端部）まで延びるものとされていたが、第２実施形態に係る導水路９０は、図４に示すように、ドレン水受入部９０１は、吸込グリル３の幅方向一端の軸部３１ａに設けられており、ドレン水案内路９０２は、当該吸込グリル３の幅方向一端部に配設されたドレン水受入部９０１から、下方に傾斜して吸込グリル３の幅方向他端部の軸部３１ｂまで延びる構成とされる。
【００２９】
この第２実施形態では、ドレンホース７は、その後端部（ドレン水排出口）がドレン水受入部９０１の上面９０１ａの上方に位置するように、吸込グリル３の上記軸部３１ａにシート８等により取り付けられる。当該上面９０１ａは、第１実施形態の上面９１ａと同様に、ドレンホース７から排出されるドレン水の流入を受け入れる。上面９０１ａから溢れたドレン水は、ドレン水案内路９０２の案内部材９０２ａが有する傾斜に案内されて、吸込グリル３の幅方向一端部の軸部３１ａから他端部の軸部３１ｂまで、すなわち、熱交換器５の幅方向全域に亘って流れ、室外機１の駆動時に送風機によって形成される上記空気流によるドレン水の飛散により、熱交換器５に対してその幅方向全域に亘る随所を冷却する。
【００３０】
導水路の第３実施形態を説明する。図５は第３実施形態に係る導水路９０を示す斜視図である。
【００３１】
上記第１実施形態に係る導水路９は、吸込グリル３に１つ設けられていたが、第３実施形態に係る導水路９５は、吸込グリル３に対して複数の導水路９が、吸込グリル３の上下方向（高さ方向）において異なる複数箇所に設けられてなる。すなわち、当該複数の導水路９のそれぞれのドレン水受入部９１は、吸込グリル３の幅方向中央部に設けられた軸部３１に、上下方向が異なる複数箇所に設けられている。この導水路９５では、ドレン水案内路９２は、当該複数のドレン水受入部９１の各々から下方に傾斜して、吸込グリル３の各端部まで延びる。なお、導水路９５が備える導水路９の数は特に限定されない。図５には、３つの導水路９を備えてなる導水路９５を示している。
【００３２】
この導水路９５によれば、複数の室内機のドレンホース７のドレン水排出口を、上記ドレン水受入部９１の上面９１ａの上方に取り付けることが可能である。これにより、複数の室内機から排出されるドレン水を各ドレン水受入部９１で受け入れ、吸込グリル３の上下方向において異なる位置に設けられている各ドレン水受入部９１から、熱交換器５の幅方向全域に亘って上下方向において異なる随所にドレン水を配水することができる。
【００３３】
導水路の第４実施形態を説明する。図６は第４実施形態に係る導水路９５０を示す斜視図である。
【００３４】
上述した第３実施形態に係る導水路９５は、第１実施形態で示した導水路９を複数備えてなるが、第４実施形態に係る導水路９５０は、第２実施形態に係る導水路９０を複数備えてなるものである。
【００３５】
すなわち、第４実施形態に係る導水路９５０は、吸込グリル３に対して複数の導水路９０が、吸込グリル３の上下方向において異なる複数箇所に設けられてなり、各導水路９０のそれぞれのドレン水受入部９０１は、吸込グリル３の幅方向一端部に設けられた軸部３１ａに、上下方向において異なる複数箇所に設けられている。各ドレン水案内路９０２は、当該複数のドレン水受入部９０１の各々から下方に傾斜して、吸込グリル３の幅方向他端部まで延びる。第３実施形態と同様に、導水路９５０が備える導水路９０の数は特に限定されない。図６には、３つの導水路９０を備えてなる導水路９５０を示している。
【００３６】
なお、本発明は上記各実施形態の構成に限られず、更に種々の変形が可能である。図７に導水路の更なる実施形態を示す。例えば、上記実施形態では、導水路９を吸込グリル３の幅方向中央部の軸部３１に設けた形態や、導水路９０を吸込グリル３の幅方向一端部の軸部３１ａに設けた形態を示したが、本発明はこれらの実施形態に限られず、例えば、図７に示すように、吸込グリル３の幅方向中央部でも同方向一端部でもない軸部、例えば図７に示す軸部３１ｃに、導水路９を設けてもよい。
【００３７】
また、同じく図７に示すように、上記吸込グリル３の幅方向中央部でも同方向一端部でもない例えば軸部３１ｃにおいて、上下方向が異なる複数箇所に、導水路９が設けられるようにしてもよい。なお、ドレンホース７は、そのドレン水排出口が、それぞれのドレン水受入部９１の上面９１ａの上方に位置するように取り付けられる。
【００３８】
このようにすれば、室外機１の設置環境（室外機１の周囲の風向等）や、熱交換器５の配設位置、送風機のファンの形状や配置等の様々な要因に応じて、ドレン水受入部９１から流出してドレン水案内路９２を案内されるドレン水が吸込グリル３の両側端部（熱交換器５の両側端部）に到達するまでの時間や、ドレン水案内路９２から熱交換器５に向けて飛散するドレン水の量を、案内部材９２ａ及び案内部材９２ｂのそれぞれについて調整することが可能となる。
【００３９】
また、上記各実施形態で示した室外機１、吸込グリル３及び各導水路の構成は、一例に過ぎず、上記に示した構成に限定する趣旨ではない。例えば、ドレン水受入部の取り付け位置や、ドレン水案内路の案内部材の下方への傾斜角度や長さ等は、上記に示したものに限定されない。
【図面の簡単な説明】
【００４０】
【図１】本発明の一実施形態に係る空気調和機用室外機の斜視図である。
【図２】吸込グリルにおけるドレンホース取付部分の拡大図である。
【図３】図３（ａ）は吸込グリルに設けられている導水路の第１実施形態を空気調和機用室外機の外側から見た状態を示す斜視図、（ｂ）は当該導水路を空気調和機用室外機の内側から見た状態を示す斜視図である。
【図４】第２実施形態に係る導水路を示す斜視図である。
【図５】第３実施形態に係る導水路を示す斜視図である。
【図６】第４実施形態に係る導水路を示す斜視図である。
【図７】導水路の更なる実施形態を示す斜視図である。
【符号の説明】
【００４１】
１        空気調和機用室外機
３        吸込グリル
５        熱交換器
７        ドレンホース
９        導水路
９１      ドレン水受入部
９１ａ    上面
９２      ドレン水案内路
９２ａ，９２ｂ  案内部材
３１      軸部
３１ａ，３１ｂ，３１ｃ  軸部
９０      導水路
９０１    ドレン水受入部
９０１ａ  上面
９０２    ドレン水案内路
９０２ａ  案内部材
９５      導水路
９５０    導水路
【図１】
2009127919.tif 000003
【図２】
2009127919.tif 000004
【図３】
2009127919.tif 000005
【図４】
2009127919.tif 000006
【図５】
2009127919.tif 000007
【図６】
2009127919.tif 000008
【図７】
2009127919.tif 000009